(57)【特許請求の範囲】
【請求項１】
複数の上部接点部及び該各上部接点部と導通する複数の上部導電パターンを設けた上部電極シートと、複数の下部接点部及び該各下部接点部と導通する複数の下部導電パターンを設けた下部電極シートとを、前記各上、下部接点部を対向させる複数の穴部を有するスペーサフィルムを介して積層し、
前記上・下部導電パターンは、前記各穴部内における前記上・下部導電パターンの導出方向を異ならしめ、前記穴部の周縁部と前記上・下部導電パターンがそれぞれ交わる箇所を上下方向に重なり合わないように形成され、
前記上部接点部の内3個の上部接点部または前記下部接点部の内3個の下部接点部の一方の3個の接点部は、対応する上・下部導電パターンの端部に形成されると共に、該3個の接点部がほぼ直線上に配置され、前記一方の３個の接点部に対向した他方の３個の接点部の隣り合う２個の接点部間がそれぞれ略台形状の導電パターンで導通されていることを特徴とするシート状スイッチ。
【発明の詳細な説明】
【０００１】
【発明の属する技術分野】
本発明は、複数個のスイッチ素子部を備えたシート状スイッチに関する。
【０００２】
【従来の技術】
従来のシート状スイッチは、図５に示すように、上部電極シート１はポリエステルフィルム等の絶縁シート上に銀ペースト等から成る所定の上部接点部２及び上部導電パターン３を印刷して構成され、該シート１上には更に上部導電パターン３の端部の前記上部接点部２を除いて該パターン３を覆うようにレジストインク又はカーボンインク等のオーバーコート４が設けられている。
【０００３】
スペーサフィルム５はポリエステルフィルム等から成り、所定箇所に穴部５ａを設けられており、下部電極シート６は前記上部電極シート１と同じくポリエステルフィルム等の上に銀ペースト等の下部接点部７及び下部導電パターン８を印刷して構成され、該シート６上にも前記下部接点部７を除いて前記下部導電パターン８を覆うように前記と同質なオーバーコート９が形成されている。
【０００４】
そして、図６に示すように前記スペーサフィルム５を介して前記上・下部電極シート１と６を積層し、スペーサフィルム５の穴部５ａに前記上・下部導電パターン３、８の上・下部接点部２、７を対向させることにより、複数個のスイッチ素子部を備えたシート状スイッチを構成している。
【０００５】
ところで、前記従来のシート状スイッチでは、スペーサフィルム５の穴部５ａ内における前記上・下部導電パターン３、８の導出方向が図７のように同一方向となり、上下方向で重なり合っている。また、前記スペーサフィルム５の厚さは７５μｍ程度と薄く、上・下部導電パターン３、８が極めて近接している。
【０００６】
従って、前記オーバーコート４、９を設けない場合には、図８に示すように、前記スペーサフィルム５の穴部５ａ内において、近接した上・下部導電パターン３、８から銀が析出し、前記穴部５ａの周縁部５ｂ内壁面が媒体となり銀のマイグレーション部１０が発生し、両導電パターン３、８が導通する虞れがある。前記オーバーコート４、９はこれを防ぐためのものである。
【０００７】
なお、前記スイッチの動作は、上部電極シート１の上部接点部２側を指等で押圧することにより、該シート１を撓ませ、スペーサフィルム５の穴部５ａに位置する上・下部接点部２、７を接離させることにより、スイッチをＯＮ−ＯＦＦするものである。
【０００８】
【発明が解決しようとする課題】
前記従来のシート状スイッチは、スペーサフィルム５の穴部５ａ内における上・下部導電パターン３、８の導出方向が同一方向で、上下方向に重なり合っているため、スイッチの薄型化に伴い、上・下部導電パターン３、８が近接し、マイグレイションが発生し易く、両導電パターン３、８が導通する虞れがある。
【０００９】
また、従来は、スイッチ素子部のマイグレーション対策として、上・下部導電パターン３、８上にそれぞれオーバーコート４、９を施す必要があった。その結果、製造工程数の増加、及びそれに伴うコストの増大を招来するという欠点があった。
本発明は、上記欠点を解消したもので、上・下部導電パターン３、８の配線上の工夫をすることで、マイグレーションの発生を防止し、オーバーコート４、９を削除したシート状スイッチを提供することを目的とする。
【００１０】
【課題を解決するための手段】
本発明は、複数の上部接点部及び該各上部接点部と導通する複数の上部導電パターンを設けた上部電極シートと、複数の下部接点部及び該各下部接点部と導通する複数の下部導電パターンを設けた下部電極シートとを、前記各上、下部接点部を対向させる複数の穴部を有するスペーサフィルムを介して積層し、
前記上・下部導電パターンは、前記各穴部内における前記上・下部導電パターンの導出方向を異ならしめ、前記穴部の周縁部と前記上・下部導電パターンがそれぞれ交わる箇所を上下方向に重なり合わないように形成され、
前記上部接点部の内3個の上部接点部または前記下部接点部の内3個の下部接点部の一方の3個の接点部は、対応する上・下部導電パターンの端部に形成されると共に、該3個の接点部がほぼ直線上に配置され、前記一方の３個の接点部に対向した他方の３個の接点部の隣り合う２個の接点部間がそれぞれ略台形状の導電パターンで導通されているシート状スイッチにある。
【００１３】
【発明の実施の形態】
銀のマイグレーションは＋電極と−電極との間に発生し、同電位の導電パターン間では発生しない。また、電位差があっても導電パターン間の間隔が大きければ大きい程良い。実験によれば、その間隔が０．５ｍｍ以上あれば、マイグレーションに十分耐え得る環境性能を確保できることを確認した。
本発明は、かかる条件を基に上・下部導電パターンの配線に工夫を加え、オーバーコート無しに銀のマイグレーションを防止し得るようにしたものである。
【００１４】
【実施例】
本発明のシート状スイッチの１実施例を図１〜図４により説明する。
図１において、上部電極シート１はポリエステルフィルム等の絶縁シート上に銀単層、銀とカーボンとの混合物の単層、又は銀とカーボンとの複合層等から成る複数の上部導電パターン３を印刷により形成して構成され、前記上部導電パターン３の各端部は同一材料から成る上部接点部２が形成されている。なお、該各上部接点部２の周囲の四カ所には前記上部導電パターン３と同一材料且つ同時に形成されたスペーサ部１１である。
【００１５】
スペーサフィルム５は前記各上部接点部２と対応する位置に複数個の穴部５ａを設け、ポリエステルフィルム等から形成されている。下部電極シート６は前記上部電極シート１と同様に銀単層、混合単層又は複合層等から成る下部導電パターン８を印刷して構成され、前記下部導電パターン８の端部が下部接点部７となり、また、該接点部７の周囲の四カ所にスペース部１１が形成している点も、前記上部電極シート１と同様である。
【００１６】
前記上・下部電極シート１、６は前記スペーサフィルム５を介して積層され、図２に示すように、スペーサフィルム５の各穴部５ａ内に前記上・下部接点部２、７がそれぞれ対向するように組み合わされ、複数のスイッチ素子部を有するシート状スイッチが構成される。
【００１７】
そして、本発明では、図３に示すように、スペーサフィルム５の穴部５ａ内における上部導電パターン３と下部導電パターン８の導出方向をそれぞれ上下方向で重なり合わないように異なる方向とし、且つ前記穴部５ａの周縁部５ｂと上・下部導電パターン３、８との交わる箇所の間であって、該周縁部５ｂに沿った長さＬを０．５ｍｍ以上としてある。
【００１８】
図４は、前記スイッチ素子部のスペーサ部１１で横切る断面図を示したもので、該スペーサ部１１の働きとしては、上・下部電極シート１、６及びスペーサフィルム５の薄型化（各シート１、６及びフィルム５共に厚さが７５μｍ以下）に伴う、上・下部接点部２、７間の耐電圧不足又は両接点部２、７の復帰不良等を防ぎ、所定の両接点部２、７ギャップを確保するためのものである。なお、上・下部接点部２、７及びスペーサ部の膜厚は、何れも５〜２５μｍである。
【００１９】
【発明の効果】
叙上のとうり、本発明は、複数の上部接点部及び該各上部接点部と導通する複数の上部導電パターンを設けた上部電極シートと、複数の下部接点部及び該各下部接点部と導通する複数の下部導電パターンを設けた下部電極シートとを、前記各上、下部接点部を対向させる複数の穴部を有するスペーサフィルムを介して積層し、前記上・下部導電パターンは、前記各穴部内における前記上・下部導電パターンの導出方向を異ならしめ、前記穴部の周縁部と前記上・下部導電パターンがそれぞれ交わる箇所を上下方向に重なり合わないように形成され、前記上部接点部の内３個の上部接点部または前記下部接点部の内３個の下部接点部の一方の３個の接点部は、対応する上・下部導電パターンの端部に形成されると共に、該３個の接点部がほぼ直線上に配置され、前記一方の３個の接点部に対向した他方の３個の接点部の隣り合う２個の接点部間がそれぞれ略台形状の導電パターンで導通されているものであるため、前記従来例に比較して、穴部内において上・下部導電パターン間のマイグレーションを軽減することができるとともに、上・下部導電パターンの配線上の工夫をすることで、複数個のスイッチ素子部を有するシート状スイッチの製造工程数の削減、並びに製造コストの低減となる効果を奏する。
【図面の簡単な説明】
【図１】本発明のシート状スイッチを示す要部分解斜視図である。
【図２】本発明のシート状スイッチのスイッチ素子部を示す要部断面図である。
【図３】本発明の前記スイッチ素子部の説明図である。
【図４】本発明の前記スイッチ素子部のスペーサ部を横切る要部断面図である。
【図５】従来のシート状スイッチを示す要部分解斜視図である。
【図６】従来のシート状スイッチのスイッチ素子部を示す要部断面図である。
【図７】従来の前記スイッチ素子部の説明図である。
【図８】従来の前記スイッチ素子部の銀のマイグレーションを説明する要部断面図である。
【符号の説明】
１  上部電極シート
２  上部接点部
３  上部導電パターン
５  スペーサフィルム
５ａ  穴部
５ｂ  周縁部
６  下部電極シート
７  下部接点部
８  下部導電パターン
１１  スペーサ部
【図１】
0003602896.tif 000002
【図２】
0003602896.tif 000003
【図３】
0003602896.tif 000004
【図４】
0003602896.tif 000005
【図５】
0003602896.tif 000006
【図６】
0003602896.tif 000007
【図７】
0003602896.tif 000008
【図８】
0003602896.tif 000009